(57)【要約】本発明は、装置、または１つもしくは２つ以上の装置を有するアセンブリに関する。装置は、キャリア、好ましくは情報キャリアと、情報キャリア用のホルダと、を有している。情報キャリアは、変化しかつ／または動く画像を表示するディスプレイを有している。ディスプレイは少なくとも一部が風受け面を形成し、風の影響によって少なくとも風受け面が動く。装置は、ディスプレイを制御する制御手段を有している。装置は、風受け面の動きから電力を発生させる手段をさらに備えていることが好ましい。
2007519031.tif 000002
【特許請求の範囲】
【請求項１】
１つまたは２以上の装置を有し、各装置は情報キャリアと該情報キャリアのホルダとを有するアセンブリであって、
前記情報キャリアは、変化しかつ／または動く画像を表示するディスプレイを有し、前記ディスプレイは、少なくとも一部が風受け面を形成し、風の影響によって少なくとも前記風受け面を動かし、
前記装置は、前記ディスプレイを制御する制御手段を有するアセンブリ。
【請求項２】
表示される前記画像に付属する音声または背景ノイズを再生する音声再生機器を有し、前記音声再生機器は、好ましくは、前記１つまたは２つ以上の装置のうちの少なくとも１つに配置されている、請求項１に記載のアセンブリ。
【請求項３】
前記１つまたは２つ以上の装置の前記制御手段は、ネットワークに接続され、前記ネットワークを介してデータ、好ましくは画像データおよび／または音声データを受信および／または送信する、送信手段および／または受信手段を有する、請求項１または２に記載のアセンブリ。
【請求項４】
前記アセンブリは、前記ネットワークに接続され、個々の装置または装置全体とデータを交換する、たとえばコンピュータなどのデータ処理装置を有する、請求項３に記載のアセンブリ。
【請求項５】
前記１つまたは２つ以上の装置のうちの少なくとも１つは、前記装置の周囲および／または前記装置の少なくとも前記風受け面の動きを認識するセンサを有し、前記センサは、前記センサからの信号を前記制御手段に送信するために、前記装置の前記制御手段に接続されている、請求項１から４のいずれか１項に記載のアセンブリ。
【請求項６】
前記センサは、位置センサ、速度センサ、または加速度センサを有する、請求項５に記載のアセンブリ。
【請求項７】
前記センサは、前記装置の近傍にいる人を検出する人検出センサを有する、請求項５に記載のアセンブリ。
【請求項８】
前記制御手段は、前記センサの信号に応じて前記ディスプレイを制御するようにされている、請求項５，６，または７に記載のアセンブリ。
【請求項９】
前記制御手段は、前記センサの信号またはそれから得られた信号の大きさを前記データ処理装置に転送するようにされている、請求項５，６，または７に記載のアセンブリ。
【請求項１０】
請求項１から９のうちの１つまたは２つ以上に記載のアセンブリに使用される装置であって、前記装置は、前記ディスプレイ上に表示されるデータを受信する受信器を有し、前記受信器は、前記受信器からのデータを前記制御手段に送信するために、前記制御手段に接続されている装置。
【請求項１１】
前記受信器はワイヤレス受信器、好ましくは無線受信器である、請求項１０に記載の装置。
【請求項１２】
前記情報キャリアは、前記ホルダの少なくとも一部に移動可能に連結されている、請求項１０または１１に記載の装置。
【請求項１３】
前記装置は、前記ホルダに対する前記情報キャリアの動きを検出するモーションセンサを有し、前記モーションセンサは、該モーションセンサからの信号を前記制御手段に送信するため前記制御手段に接続され、前記制御手段は、前記センサの信号に応じて前記ディスプレイを制御するようにされている、請求項１２に記載の装置。
【請求項１４】
前記ホルダは、基部に永久的に連結できる第１のホルダ部と、前記第１の部分に移動可能に連結された第２のホルダ部とを有し、前記情報キャリアは、実質的に回転を固定された状態で前記ホルダの前記第２の部分に連結されている、請求項１２または１３に記載の装置。
【請求項１５】
前記第２のホルダ部は前記第１のホルダ部に回転可能に連結されている、請求項１４に記載の装置。
【請求項１６】
前記第１のおよび第２のホルダ部は実質的に円筒形であり、前記第１のホルダ部の第１の軸は、前記第２のホルダ部の第２の軸と実質的に平行であり、かつ／または実質的に一列に配置されている、請求項１５に記載の装置。
【請求項１７】
前記第１のホルダ部はマストを有し、前記第２のホルダ部は前記マストの回転可能な頂部を有する、請求項１６に記載の装置。
【請求項１８】
前記情報キャリアは、実質的に回転を固定された状態で前記回転可能な頂部に取付けられている、請求項１７に記載の装置。
【請求項１９】
前記情報キャリアは、実質的に垂直な回転軸の周りを回転可能になるように配置されたロータ、好ましくはサボニアス型ロータを有し、前記ロータは、前記ロータの前記回転軸と実質的に垂直な方向において実質的にＳ字形の断面を有する、請求項１６に記載の装置。
【請求項２０】
前記情報キャリアは、前記ホルダに回転可能に連結されている、請求項１２または１３に記載の装置。
【請求項２１】
前記情報キャリアは、ウィンドタービン、風車、またはロータを有する、請求項２０に記載の装置。
【請求項２２】
前記風受け面は、前記風取込み能力を最適化するために、空気を通過させる１つまたは２つ以上の開口部を有している、請求項１９または２１に記載の装置。
【請求項２３】
前記ディスプレイは、実質的に水平であり、好ましくは平坦である、請求項１０から２２のいずれか１項に記載の装置。
【請求項２４】
前記ディスプレイは屈曲性を有し、好ましくは可とう性を有している、請求項２３に記載の装置。
【請求項２５】
前記ディスプレイは、好ましくはエレクトロフォレティックまたはエレクトロルミネセンス材料を含む撚り糸状の材料から織られた電子繊維で作られている、請求項２４に記載の装置。
【請求項２６】
前記情報キャリアは、好ましくは２つの面にディスプレイを備えている旗である、請求項２４または２５に記載の装置。
【請求項２７】
前記ホルダは、旗竿および／またはバナーアームを有する、請求項２６に記載の装置。
【請求項２８】
前記情報キャリアは、好ましくは少なくとも部分的に前記ディスプレイを囲む、可とう性および／または弾性を有する材料で作られている、請求項１０から２７のいずれか１項に記載の装置。
【請求項２９】
前記ディスプレイは、ＬＣＤ、ナノＬＣＤ、エレクトロウェッティングディスプレイ、プラズマディスプレイ、エレクトロルミネセンスディスプレイ、またはエレクトロフォレティックディスプレイである、請求項１０から２８のいずれか１項に記載の装置。
【請求項３０】
前記エレクトロルミネセンスディスプレイは、マトリックスディスプレイを形成するように行列状に配置された一連のＬＥＤ、好ましくは有機ＬＥＤを有する、請求項２９に記載の装置。
【請求項３１】
前記情報キャリアは、前記ディスプレイ用の透明のハウジングを有する、請求項１０から３０のいずれか１項に記載の装置。
【請求項３２】
前記ハウジングは、空気、水、および／または水蒸気から保護する密封保護層を有する、請求項３１に記載の装置。
【請求項３３】
前記保護層は、透明な無機または有機コーティングまたはカバープレートを有する、請求項３２に記載の装置。
【請求項３４】
風によって前記風受け面にかかる力から電力を発生させる手段を有する、請求項１０から３３のいずれか１項に記載の装置。
【請求項３５】
前記風の影響によって少なくとも前記風受け面の動きから電力を発生させる手段を有する、請求項３４に記載の装置。
【請求項３６】
前記風受け面は前記ホルダに回転可能に連結され、電力を発生させる前記手段は、回転発電機またはダイナモを有し、前記風受け面は、好ましくはウィンドタービン、風車、またはロータを形成している、請求項３５に記載の装置。
【請求項３７】
前記ホルダは、基部に永久的に連結できる第１のホルダ部と、前記第１の部分に回転可能に連結された第２のホルダ部とを有し、前記風受け面は、実質的に回転を固定された状態で前記ホルダの前記第２の部分に連結され、前記電力を発生させる手段は、回転発電機またはダイナモを有する、請求項３５に記載の装置。
【請求項３８】
前記情報キャリアは可とう性の風受け面を備え、前記電力を発生させる前記手段は、前記風受け面が前記風にたなびくことによって電力を発生させるようにされている、請求項３５に記載の装置。
【請求項３９】
前記風受け面は、前記風受け面が前記風にたなびくことによって電力を発生させるように、前記風受け面内に位置する圧電箔を少なくとも一部に備えている、請求項３８に記載の装置。
【請求項４０】
前記風受け面は、実質的に風方向に往復運動をおこなうように前記ホルダにばねを介して取付けられ、前記装置は、前記往復運動から電力を発生させる手段を有する、請求項３５に記載の装置。
【請求項４１】
前記装置は、たとえばクランクシャフトによって前記往復運動を回転運動に変換する手段を有し、前記電力を発生させる手段はダイナモまたは発電機を有する、請求項４０に記載の装置。
【請求項４２】
前記ホルダおよび／または前記情報キャリアは、前記引張り力を吸収し、前記引張り力を電力に変換する圧電素子を備える、請求項３４に記載の装置。
【請求項４３】
前記装置はさらに、太陽エネルギーから電力を発生させる手段を有する、請求項３４から４２のいずれか１項に記載の装置。
【請求項４４】
前記風受け面の動きから電力を発生させる前記手段は、たとえば電池などのエネルギー貯蔵手段、前記ディスプレイおよび／または制御手段に結合可能であり、前記ディスプレイおよび／または制御手段に電力が供給される、請求項３４から４３のいずれか１項に記載の装置。
【請求項４５】
キャリアと、前記キャリア用のホルダとを有する装置であって、
前記キャリアは風受け面を有し、風の影響によって少なくとも前記風受け面を動かし、
前記風受け面は、該風受け面内に位置し、第１および第２の状態に切換えることのできる、アドレス指定可能な表面部分を有し、前記第１の状態の前記表面部分は、前記第２の状態の前記表面部分と視覚的に異なり、
前記装置は、前記表面部分をアドレス指定する制御手段と、前記風の影響によって少なくとも前記風受け面の動きから電力を発生させる手段と、を有する装置。
【請求項４６】
請求項１０から４５のいずれか１項に記載の装置に適しており、かつ該装置を対象とするホルダ。
【請求項４７】
請求項１０から４４のいずれか１項に記載の装置に適しており、かつ該装置を対象とする情報キャリア。
【請求項４８】
添付の説明に記載され、かつ／または添付の図面に示されている１つまたは２つ以上の特徴的な手段を備えたアセンブリ。
【請求項４９】
添付の説明に記載され、かつ／または添付の図面に示されている１つまたは２つ以上の特徴的な手段を備えた装置。
【請求項５０】
添付の説明に記載され、かつ／または添付の図面に示されている１つまたは２つ以上の特徴的なステップを含む方法。
【発明の詳細な説明】
【技術分野】
【０００１】
本発明は装置に関し、特に、風受け面を備えた情報装置に関する。本発明は特に、旗、ロータ、サインボード、バナー、またはベーンに関する。
【背景技術】
【０００２】
現在に至るまで、サインボード、旗、またはロータがしばしば情報伝達手段として使用されてきた。
【０００３】
通常は垂直な支柱である旗竿から吊り下げられた旗またはバナーは、機関や組織によって広く使用される情報伝達手段である。旗は、以前から公式な目的に使用され、支配者階級や国家のアイデンティティに結びついているため、優雅さ、壮麗さ、および気品さを醸し出している。
【０００４】
旗およびバナーと異なり、サインボードは通常、水平に配置されたバナーアームから吊り下げられ、小売用の情報伝達手段として広く使用されている。
【０００５】
通常、垂直軸の周りを回転可能に配置され、風によって垂直軸の周りを回るように動かされるロータも情報伝達手段として使用される。ロータの可視（垂直）面には、たとえば広告が備えられている。
【０００６】
旗、サインボード、およびロータは、風にさらされて動き、その結果公衆の関心を引く。旗、サインボード、またはロータは、通常両面に情報を備えているため、多くの場合いくつかの側から視認できる。ロータは、回転運動するため、異なる面に異なる情報および／またはメッセージを備えており、この情報および／またはメッセージは、回転運動によって代わるがわる表示される。さらに公知の旗、サインボード、およびロータはメンテナンスの手間が比較的少なく、別々に独立して設置することができる。
【発明の開示】
【発明が解決しようとする課題】
【０００７】
公知のサインボード、旗、バナー、またはロータの欠点は、その情報が静的なものであり、色や構成が変化しないことである。情報および／またはメッセージを変える場合、たとえば、旗を降ろし別の旗を掲げるか、あるいはたとえば、サインボードもしくはロータ上、またはサインボードもしくはロータ内に配置されたプラカードもしくは（広告）ポスターは、別のプラカードもしくは別のポスターと交換される。
【０００８】
公知のサインボード、旗、またはロータの他の欠点は、薄暮時または暗くなったときに、外部照明または内部に配置された独立した背景照明を使用しないかぎり、適切に見えなくなることである。したがって、サインボード、旗、またはロータは電源に依存するようになり、その結果、別々に独立して設置できるという利点が大きく失われる。さらに、外部照明を用いているため、注目度が多少失われ、媒体の情報伝達能力がある程度失われる。
【０００９】
本発明の目的はこの点を改善することである。
【課題を解決するための手段】
【００１０】
この目的のために、本発明は、各々が情報キャリアおよび情報キャリア用のホルダを有する１つまたは２つ以上の装置を有するアセンブリであって、情報キャリアは、変化しかつ／または動く画像を表示するディスプレイを有し、ディスプレイは、少なくとも一部に風受け面を形成し、風の影響によって少なくとも風受け面を動かし、装置は、ディスプレイを制御する制御手段を有するアセンブリを提供する。
【００１１】
本発明によるアセンブリの各装置はディスプレイを有するため、風受け面に情報を動的に示すことが可能になる。本発明による装置の他の利点は、風受け面とディスプレイが風の影響によって動くことができ、その結果、装置、特に、ディスプレイを備えた風受け面が公衆の関心を引くことである。本発明によるアセンブリは、特に屋外に設置するのに適している。
【００１２】
一実施態様では、アセンブリは、表示される画像に付属する音声または背景ノイズを再生する音声再生機器を有し、音声再生機器は、１つまたは２つ以上の装置のうち、少なくとも１つに設置されていることが好ましい。したがって、アセンブリは、視覚的および／または視聴覚的情報を再生する媒体システムを形成する。
【００１３】
一実施態様では、１つまたは２つ以上の装置の制御手段は、ネットワークに接続され、そのネットワークを介してデータ、好ましくは画像および／または音声データを受信および／または送信する、送信手段および／または受信手段を有している。
【００１４】
一実施態様では、アセンブリは、ネットワークに接続されかつ個々の装置または装置全体とデータを交換する、たとえばコンピュータなどのデータ処理装置を有している。好ましくは、アセンブリは２つまたは３つ以上の装置を有し、これらの装置はネットワークを介して結合され、アセンブリを、変化しかつ／または動く画像の「マルチスクリーン」表示に使用することができる。一方、個々の画像を様々な装置上で繰り返し表示することができる。一方、個々の画像の各部を、互いに隣接して配置された、いくつかの装置に表示することができる。隣接して配置された装置は、たとえばビデオウォールと同様に、全体で完全な画像を形成する。
【００１５】
一実施態様では、少なくとも１つの装置は、装置の周囲および／または装置の少なくとも風受け面の動きを認識するセンサを有し、センサは、センサからの信号を制御手段に送信するために、装置の制御手段に接続されている。制御手段は、センサの信号に応じてディスプレイを制御するようにされていることが好ましい。
【００１６】
センサは、位置センサ、速度センサ、または加速度センサを有していることが好ましい。その結果、ディスプレイの制御を、ディスプレイの位置および／または装置のディスプレイの動きの速度に合せることができる。
【００１７】
一実施態様では、センサは、風によって風受け面または情報キャリアにかかる力、特に引張り力を測定するようにされている。センサは、たとえば引張り力が強すぎる場合、すなわち風が強すぎる場合に、制御手段に警報信号を送信し、これによって装置の損傷を防止する処置をとることができる。
【００１８】
他の実施態様では、センサは、装置の近傍にいる人を検出する人検出センサを有している。この実施態様の省エネルギー型の変形例では、制御手段は、装置の近傍に人がいるときにディスプレイを作動させ、装置の近傍に人がいないときにはディスプレイをオフに切換えることができる。
【００１９】
アセンブリが、ネットワークに接続されたデータ処理装置を有する実施態様では、制御手段は、センサの信号またはそれから得られた信号の大きさをデータ処理装置に転送するようにされている。したがって、データ処理装置は、たとえばディスプレイの個々のもしくは相互の位置、および／または様々な装置のディスプレイの動きの速度に関するデータを自由に有することができる。そのデータは、たとえば、変化しかつ／または動く画像を「マルチスクリーン」表示し、あるいは全画像の各部をいくつかのディスプレイに動的に分割表示する目的で様々な装置を制御するために、データ処理装置で使用することができる。
【００２０】
他の態様では、本発明は、たとえば、上述のようなアセンブリに使用される装置であって、ディスプレイ上に表示されるデータを受信する受信器を有し、受信器は、受信器からのデータを制御手段に送信するために、制御手段に接続されている装置を提供する。好ましくは、受信器はワイヤレス受信器であり、好ましくは無線受信器である。
【００２１】
一実施態様では、情報キャリアは、ホルダの少なくとも一部に可動な状態で連結されている。装置は、情報キャリアのホルダに対する動きを検出するモーションセンサを有し、モーションセンサは、モーションセンサからの信号を制御手段に送信するため制御手段に接続され、制御手段は、センサの信号に応じてディスプレイを制御するようにされていることが好ましい。
【００２２】
一実施態様では、情報キャリアは、ホルダに回転可能に連結され、情報キャリアは、ウィンドタービン、風車、またはロータを有することが好ましい。ディスプレイは、情報を表示するためウィンドタービン、風車、またはロータの風受け面内に配置され、したがって、ディスプレイは風によって回転することができる。
【００２３】
風受け面は、ウィンドタービン、風車、またはロータの風取込み能力を最適化するために、空気を通過させる１つまたは２つ以上の開口部を有していることが好ましい。開口部は視覚情報の表示面を最大にするため、最小限のサイズを有していることが好ましい。開口部の悪影響を軽減させるために、開口部は以下の特徴の１つまたは２つ以上を有している。
−開口部は、回転軸に対して実質的に平行または放射状に配置された１つまたは２つ以上の長穴を有することが好ましい。
−情報キャリアは多孔面を有することが好ましい。
−各風取込み面間の開口部が少なくとも視認方向において重なり合うように覆われ、したがって、風取込み面が最適な眺めを保証する結果が得られるように、風取込み面は、少なくとも部分的に重なり合うように配置されていることが好ましい。
【００２４】
一実施態様では、ホルダは、基部に永久的に連結できる第１のホルダ部と、第１の部分に移動可能に連結された第２のホルダ部と、を有し、情報キャリアは、実質的に回転を固定された状態でホルダの第２の部分に連結されている。第２のホルダ部は第１のホルダ部に回転可能に連結されることが好ましい。
【００２５】
簡略な実施態様では、第１および第２のホルダ部は実質的に円筒形であり、第１のホルダ部の第１の軸は、第２のホルダ部の第２の軸と実質的に平行であり、かつ／または実質的に一列に配置されている。
【００２６】
情報キャリアは、実質的に垂直な回転軸の周りを回転可能に配置されたロータ、好ましくはサボニアス型ロータを有し、ロータは、ロータの回転軸と実質的に垂直な方向において実質的にＳ字形の断面を有している。風取込み面、すなわち翼は、頂部側および／または底部側を端板で覆われていることが好ましい。端板、少なくとも頂部側に配置された端板は、アドレス指定可能な発光表面部分を備えることが好ましい。簡略な実施態様では、後述のようにロータの回転によって電力を発生させるため、最も下側の端板を直接発電機またはダイナモに接続することができる。最も下側の端板は、発電機の固定子に直接接続されることが好ましい（直接駆動）。
【００２７】
他の実施態様では、第１のホルダ部はマストを有し、第２のホルダ部は回転可能なマスト頂部を有している。情報キャリアは、実質的に回転を固定された状態で回転可能なマスト頂部に取付けられていることが好ましい。
【００２８】
一実施態様では、ディスプレイは実質的に平らであり、好ましくは平坦である。好ましくは、ディスプレイは屈曲性を有し、好ましくは可とう性を有している。
【００２９】
ディスプレイは、好ましくはエレクトロフォレティックまたはエレクトロルミネセンス材料を含む撚り糸状の材料から織られた電子繊維で作られていることが好ましい。
【００３０】
情報キャリアは、好ましくは２つの面にディスプレイを備えた旗であることが好ましい。ホルダは、旗用の旗竿および／またはバナーアームを有することが好ましい。
【００３１】
一実施態様では、情報キャリアは、好ましくは少なくとも部分的にディスプレイを囲む、可とう性および／または弾性を有する材料で作られている。ディスプレイは、可とう性および／または弾性を有する材料からなる情報キャリアの両面に配置することができる。他の実施態様では、ディスプレイは、可とう性および／または弾性を有する材料からなる２つの層の間に、これらの層に覆われて配置されている。可とう性および／または弾性を有する情報キャリアは、繊維（織布でも不織布でもよい）、好ましくは高分子繊維で作ることができる。情報キャリアは、摩耗や破損がほとんど生じない、可とう性、耐衝撃性、および耐破壊性を備えた材料で作られることが好ましい。
【００３２】
一実施態様では、情報キャリアは、少なくとも一部が導電性を有し、好ましくは弾性を備えたポリマーを有している。上記の各部は、たとえば、ディスプレイを制御装置に接続するのに使用することができる。
【００３３】
一実施態様では、ディスプレイは、ＬＣＤ、ナノＬＣＤ、エレクトロウェッティングディスプレイ、プラズマディスプレイ、エレクトロルミネセンスディスプレイ、またはエレクトロフォレティックディスプレイを有している。エレクトロルミネセンスディスプレイは、マトリックスディスプレイを形成するように行列状に配置された一連のＬＥＤ、好ましくは有機ＬＥＤを有することが好ましい。
【００３４】
一実施態様では、情報キャリアは、ディスプレイ用の透明ハウジングを有し、ハウジングは、ディスプレイを空気、水、および／または水蒸気から保護する密封保護層を有することが好ましい。
【００３５】
保護層は、たとえば、パースペックス（Ｐｅｒｓｐｅｘ）で作られたプレートなど、透明な、無機物質または有機物質からなるコーティングまたはカバープレートを有することが好ましい。
【００３６】
ディスプレイは、ディスプレイが正常に機能しているか否かに関する情報を含む制御信号を制御手段に送信するセンサをさらに備えていてもよい。ルミネセンスディスプレイの場合、センサは、たとえば、感光面がディスプレイの近くに配置され、ディスプレイの方を向いた光センサでもよい。
【００３７】
一実施態様では、装置は、風によって風受け面にかかる力から電力を発生させる手段、好ましくは、少なくとも風受け面の風の影響による動きから電力を発生させる手段を有している。風受け面の動きから電力を発生させる手段は、たとえば電池のようなエネルギー貯蔵手段、ディスプレイ、および／または制御手段に電力を供給するために接続可能であることが好ましい。
【００３８】
一実施態様では、風受け面はホルダに回転可能に連結され、電力発生手段は回転発電機またはダイナモを有し、風受け面は好ましくはウィンドタービン、風車、またはロータを形成している。
【００３９】
他の実施態様では、ホルダは、基部に永久的に連結できる第１のホルダ部と、第１の部分に回転可能に連結された第２のホルダ部とを有し、風受け面は、実質的に回転を固定された状態でホルダの第２の部分に連結され、電力発生手段は、回転発電機またはダイナモを有している。
【００４０】
他の実施態様では、情報キャリアは可とう性の風受け面を備え、電力発生手段は、風受け面が風にたなびくことによって電力を発生させるようにされている。風受け面は、風受け面が風にたなびくことによって電力を発生させるように、風受け面内に位置する圧電箔を少なくとも一部に備えていることが好ましい。
【００４１】
他の実施態様では、風受け面は、実質的に風方向に往復運動をおこなうようにホルダにばねを介して取付けられ、装置は、この往復運動から電力を発生させる手段を有している。好ましくは、装置は、たとえばクランクシャフトによって往復運動を回転運動に変換する手段を有し、電力発生手段はダイナモまたは発電機を有している。
【００４２】
他の実施態様では、ホルダおよび／または情報キャリアは、風によって風受け面に生じる引張り力を吸収し、引張り力を電力に変換する圧電素子を備えている。
【００４３】
一実施態様では、アセンブリは、太陽エネルギーから電力を発生させる手段をさらに有している。
【００４４】
他の態様では、本発明は、キャリアと、キャリア用のホルダとを有する装置であって、キャリアは風受け面を有し、風の影響によって少なくとも風受け面を動かし、風受け面は、風受け面内に位置し第１および第２の状態に切換えることのできるアドレス指定可能な表面部分を有し、第１の状態の表面部分は第２の状態の表面部分と視覚的に異なり、装置は、表面部分をアドレス指定する制御手段と、風の影響によって少なくとも風受け面の動きから電力を発生させる手段と、を有する装置を提供する。
【００４５】
本発明による装置は、視覚的に異なる２つの状態の間で切換えることのできるアドレス指定可能な可動表面部分を有するため、風受け面内に情報を動的に表示することが可能になる。
【００４６】
一実施態様では、装置は、風受け面の動きから電力を発生させる手段をさらに有している。
【００４７】
アドレス指定および／または切換えには電力が必要である。本実施態様による装置は、風受け面の動きから電力を発生させる手段を有している。したがって、本発明による装置を別々にかつ独立して配置することが可能になる。さらに、発生した電力を、薄暮時または暗くなったときに、風受け面の照明に利用することができる。
【００４８】
一実施態様では、アドレス指定可能な表面部分は、エレクトロフォレティック素子を有している。エレクトロフォレティック素子は、素子を電界にさらすことによって視覚的に異なった状態にされる素子である。エレクトロフォレティック素子を使用することの利点は、エネルギーを非常に節約できることである。特に、電力発生手段と組み合わせた場合、省エネルギー型のアドレス指定可能な表面部分は有利である。一方、電力発生手段は、大量の電力を発生させる必要がない。一方、発生した余剰の電力は、薄暮時または暗くなったときに風受け面を照明するために使用しかつ／または貯蔵することができる。
【００４９】
一実施態様では、アドレス指定可能な表面部分はエレクトロルミネセンス素子を有している。エレクトロルミネセンス素子を使用する利点は、この素子は発光性を有しているため、薄暮時または暗くなったときに素子を適切に視認することができるという点である。外部照明や内部に配置されるバックライトを設けることは、通常はもはや不要である。さらに、本発明によれば、風受け面上のエレクトロルミネセンス素子は、周囲に対する光源として機能することができる。
【００５０】
好ましくは、エレクトロルミネセンス素子は１つまたは２つ以上のＬＥＤを有している。ＬＥＤは１つまたは２つ以上の有機ＬＥＤであることが好ましい。ＬＥＤ、特に、たとえばポリマーＬＥＤなどの有機ＬＥＤを使用すると、エレクトロルミネセンス素子が、本発明による装置に有利となるであろういくつかの特性を組み合わせることができ、有利である。特に有利な特性には、エネルギー使用量が少ないこと、発光度および／または輝度が高いこと、重量が軽いこと、オプションとして可とう性と屈曲性を備えた材料上に作る場合でも薄層として作製できること、などが含まれる。
【００５１】
一実施態様では、アドレス指定可能な表面部分は、文字またはロゴの形状に形成されている。この文字またはロゴは、視覚的に異なる２つの状態の間で切換えることができ、その結果、この文字またはロゴで形成された情報を動的に表示することができる。文字またはロゴは、たとえば、可視状態と実質的に見えない状態との間で周期的に切換えることができる。
【００５２】
一実施態様では、風受け面は、互いに隣接して配置されるかまたは互いに重ね合わせられた一連の表面部分であって、変化しかつ／または動く画像を表示するようにアドレス指定可能な、一連の表面部分を有している。一連のアドレス指定可能な表面部分は個々にアドレス指定可能であることが好ましい。その結果、情報を装置に動的に表示するための選択肢がさらに増加する。たとえば、いくつかの異なる文字またはロゴを可視状態と実質的に見えない状態との間で切換え、異なる情報を示す文字またはロゴを周期的に表示することができる。
【００５３】
一実施態様では、アドレス指定可能な表面部分は、ディスプレイの画素を形成している。一連のアドレス指定可能な表面部分は、（アクティブまたはパッシブ）マトリックスディスプレイを形成するように行列状に配置されていることが好ましい。したがって、この実施態様は、変化する画像を表示するディスプレイ用のホルダを提供し、ディスプレイは同時に、可動状態で吊り下げられ、風によって動かされることができる。変化する画像は、たとえばグラフィック画像、写真画像、または映画もしくはビデオの画像を含む。さらに、ディスプレイがカラー画像を表示するようにされていると有利である。本発明による装置が、表示される画像に付属する音声または背景ノイズを再生する音声再生機器を有していればさらに有利である。
【００５４】
一実施態様では、装置は、制御手段を制御する情報を無線受信する受信器を有している。受信器は、受信された情報に従って風受け面のアドレス指定可能な表面部分を制御する制御手段に接続されている。受信器に情報を送信する場合、たとえばＷＩＦＩ、ＷＩＭＡＸ、ＵＭＴＳ機器のような公知の機器を使用することができる。
【００５５】
一実施態様では、電力発生手段は、たとえば風にたなびく旗またはサインボードの風受け面から電力を発生させるようにされている。風の影響によって、たとえば旗やサインボードを往復運動させることができる。一実施態様では、装置は、たとえば、電力を発生させるダイナモまたは発電機を駆動するクランクシャフトによって、この往復運動を回転運動に変換する手段を有している。
【００５６】
一実施態様では、電力発生手段は、風によってたとえば旗やベーンの風受け面にかかる引張り力から電力を発生させるようにされている。一実施態様では、風受け面は、実質的に風方向に往復運動をおこなうように、ホルダにばねを介して取付けられている。装置は、たとえば、電力を発生させるダイナモまたは発電機を駆動するクランクシャフトによって、この往復運動を回転運動に変換する手段を有している。
【００５７】
有利な実施態様では、取付け手段は、装置の少なくとも風受け面をホルダに回転可能に取付けるようにされている。一実施態様では、電力発生手段は、たとえば旗、ベーン、サインボード、またはロータなどの装置の少なくとも風受け面をホルダに対して回転させることによって電力を発生させるようにされている。アドレス指定可能な表面部分を備える風受け面の、風の影響により生じるホルダに対する回転運動は、電力を発生させるダイナモまたは発電機に直接連結することができる。このような実施態様の利点は、たとえばホルダに容易に組み込むことができる公知の種類のＤＣまたはＡＣ発電機を備えることができることである。
【００５８】
一実施態様では、風受け面は、風受け面の動きから電力を発生させる手段を備えている。この場合、電力発生手段は、風受け面を有しかつホルダに可動な状態で取付け可能な、装置の部分に設けられている。その結果、装置のこの部分をホルダ上にまたはホルダの所に一体で配置することができる。
【００５９】
一実施態様では、風受け面は、回転を固定された状態でホルダに連結され、ホルダは、ホルダの動きから電力を発生させる手段を備えている。
【００６０】
一実施態様では、ホルダは回転可能な頂部を備え、回転可能な頂部は、頂部が回転することによって電力を発生させる手段を備え、風受け面は、回転を固定された状態で頂部に連結することができる。
【００６１】
一実施態様では、装置は、たとえば太陽電池のような、太陽エネルギーから電力を発生させる手段も有している。この組合せは、電力を発生させる別の他の手段が利用できるという利点を有し、その結果、風の立たない時にもエネルギーを発生させることができる。その結果、風の立たない時にもエネルギーを発生させることができるため、本発明による装置の信頼性はより高まる。さらに、本発明による装置に利用できるエネルギーの量が増加し、装置のエネルギー使用量を高めることができる。太陽電池は、たとえば風受け面上および／またはホルダ上に配置することができる。一実施態様では、透明でかつ／または可とう性を有する太陽電池が風受け面上に配置されている。一実施態様では、太陽電池はｄｅｙｅ太陽電池を含んでいる。
【００６２】
一実施態様では、風の動きから電力を発生させる手段をアドレス指定可能な表面部分および／または制御手段に接続し、これらに電力を供給することができる。
【００６３】
一実施態様では、たとえば再充電可能な電池、燃料電池、またはコンデンサのような、発生した電力を少なくとも一時的に貯蔵する手段が設けられている。その結果、本実施態様による装置は、エネルギーがほとんどまたはまったく発生しない期間を補うことができる。このような期間を補うためには、本発明による装置をたとえば送電網などの外部エネルギー源に接続することもできる。発生した電力を少なくとも一時的に貯蔵する手段は、他の、場合によっては外部の、機器用の電源として働くこともできる。
【００６４】
一実施態様では、風受け面は可とう性を有している。この結果さらに、旗において知られている有利な動的な効果が得られる。
【００６５】
一実施態様では、装置は、風受け面を備えた旗を有している。
【００６６】
旗は、１つまたは２つ以上のアドレス指定可能な表面部分を２つの面に備えていることが好ましい。
【００６７】
ホルダは旗竿および／またはバナーアームを有していることが好ましい。
【００６８】
好ましくは、風受け面は撚り糸状の材料から作られ、好ましくは、風受け面は織られた材料を有している。
【００６９】
好ましくは、撚り糸状の材料は第１および第２の状態に切換え可能であり、第１の状態の表面部分は、第２の状態の表面部分と視覚的に異なっている。撚り糸状の材料は、エレクトロフォレティック材料またはエレクトロルミネセンス材料を含んでいることが好ましい。
【００７０】
一実施態様では、装置は、風受け面を備えたロータを有している。ロータは、実質的に垂直な軸の周りを回転可能に配置されることが好ましい。ロータは、ロータの回転軸に実質的に垂直な方向に実質的にＳ字形の断面を有していることが好ましい。
【００７１】
ロータは、１つまたは２つ以上のアドレス指定可能な表面部分を２つの面に備えていることが好ましい。
【００７２】
ロータは、実質的に垂直方向に延びる開口部を備えていることが好ましい。
【００７３】
装置は、ロータの回転を１つまたは２つ以上のアドレス指定可能な表面部分の制御と同期させる手段を有していることが好ましい。
【００７４】
一実施態様では、装置は、風受け面を備えたサインボードまたはベーンを有している。
【００７５】
本発明はさらに、上述の装置に適し、かつそれを対象とする旗、ロータ、サインボード、またはベーンを提供する。
【００７６】
本発明はさらに、変化しかつ／または動く画像を表示するマトリックスディスプレイを一方または両方の面に備えた旗のサスペンションを提供する。
【００７７】
一実施態様では、マトリックスディスプレイは可とう性を有している。
【００７８】
一実施態様では、マトリックスディスプレイは、エレクトロフォレティック素子および／またはエレクトロルミネセンス素子で構成されている。エレクトロルミネセンス素子はＬＥＤ、好ましくは有機ＬＥＤを有していることが好ましい。
【００７９】
一実施態様では、旗は、太陽エネルギーまたは風エネルギーから電力を発生させる手段を備えている。
【００８０】
本発明はさらに、ホルダ上に回転可能に配置されたロータであって、ロータを回転駆動する風受け面を備えたロータを提供する。風受け面は、アドレス指定可能なエレクトロフォレティック素子および／またはエレクトロルミネセンス素子を備えている。エレクトロルミネセンス素子はＬＥＤ、好ましくは有機ＬＥＤを有していることが好ましい。
【００８１】
一実施態様では、エレクトロフォレティック素子および／またはエレクトロルミネセンス素子は、文字、ロゴ、またはマトリックスディスプレイを形成するようにされている。
【００８２】
一実施態様では、アドレス指定可能なエレクトロフォレティック素子および／またはエレクトロルミネセンス素子には、ロータによって発電された電力が供給される。
【００８３】
一実施態様では、ロータは、ロータの回転軸に実質的に垂直な方向に実質的にＳ字形の断面を有している。
【００８４】
ロータは、変化しかつ／または動く画像を表示する２つの面に、アドレス指定可能なエレクトロフォレティック素子および／またはエレクトロルミネセンス素子を備えていることが好ましい。
【００８５】
一実施態様では、ロータは、太陽エネルギーおよび／または風エネルギーから電力を発生させる手段をさらに備えている。
【発明を実施するための最良の形態】
【００８６】
添付の図面に示されている例示的な実施形態に基づいて本発明をさらに説明する。
【００８７】
本発明による装置の第１の例示的な実施形態が図１に示されている。図１は、両面にマトリックスディスプレイ３を備えた風受け面２を有する旗またはバナー１を示している。旗１は、実質的に水平に配置されたバナーアーム４から吊り下げられている。バナーアーム４は、画像信号をディスプレイに送信する回転継手によって、旗竿５に取付けられている。旗またはバナー１は、剛性の高い材料で作ることができる。しかし、旗またはバナー１は、可とう性の材料で作られ、可とう性のディスプレイ３を備えていることが好ましい。旗またはバナー１はまた、たとえば、プーリ７上を延び、かつ旗またはバナー１をぴんと張った状態に維持するバランスウエート８を端部に備えるハリヤード６によって、その底部側で旗竿５に取付けられていることが好ましい。旗１は、バナーアーム４およびプーリ７によって、旗竿５に回転を固定された状態で取付けられている。旗竿５は、地面に永久固定された回転可能なマスト基礎１０上に回転を固定された状態で配置されている。
【００８８】
この場合のディスプレイ３は、たとえばエレクトロフォレティックタイプのディスプレイである。このような画面の画素は、表面内に互いに隣接して配置され、色または色合いが対照的な２種類の粒子を備えた、多数の球形のマイクロセルを有している。２種類の粒子は、互いに逆の電荷を備えている。電界を印加することによって、２種類の粒子の一方が確実に表面に現れる。ディスプレイ３を、各画素の近傍に所望の電界を印加する手段を備えた個々の画素の行および列からなるマトリックスに分割することによって、実質的にあらゆる視角から適切に見ることのできる、コントラストに優れた画像を形成することができる。制御は好ましくは、アクティブマトリックス制御によっておこなわれる。ディスプレイ３は、旗竿５内に配置され、かつ送電網および／または電池（図示せず）に接続された電気ケーブル２０を介して、電力を供給される。電気ケーブル２０は、電力をマスト基礎１０からマスト頂部２１に送る。マスト頂部２１には、送受信器２３が備えられている。装置には、送受信器２３を介して、表示すべき画像と制御装置２４に対する命令とが無線送信される。その目的のため、制御装置２４は送受信器２３を介して、ネットワーク（図示せず）に接続されることができる。受信器には、電気ケーブル２０を介して電力を供給することができる。送受信器２３は、たとえばバナーアーム４内に配置することのできる制御装置２４に接続されている。制御装置２４は、風受け面２の両面のディスプレイ３を確実に正しく制御する。制御装置２４は、たとえばプロセッサ、ワーキングメモリ、たとえばハードディスクなどの記憶媒体、およびデコンプレッサを有している。制御手段２４は、スプリッタ２５によって、風受け面２の両面に設けられた両方のディスプレイ３に接続されている。この例示的な実施形態では、制御手段および／またはスプリッタは、ディスプレイ３との接続用の一本のケーブル２６が通されたバナーアーム４内に配置されている。他の実施形態では、制御手段２４および／またはスプリッタ２５は、マスト５内、好ましくはマスト頂部２１の近傍に配置することができる。
【００８９】
エレクトロフォレティックディスプレイ３自体は発光できないため、旗竿５は、電気ケーブル２０に接続された照明手段２７を旗１の近くに備えている。照明手段２７は、薄暮時または夜間に暗くなったときにディスプレイ３を照明するようにされている。周囲光の程度は、センサ２２によって測定することができる。
【００９０】
図１に示されている例示的な実施形態には、１つまたはいくつかの旗１を配置することのできる旗竿５が示されている。旗１は、電動式または非電動式手段によって、好ましくはマスト５を介して上昇させることが可能であり、オプションとして下降させることもできる。この旗竿５から吊り下げられた旗１は、変化する画像、好ましくは変化可能な（写真）グラフィック画像または動的なカラー映画またはビデオ画像を表示する、軽量で、好ましくは可とう性を備えたマトリックスディスプレイ３を有している。装置は、装置を無線で遠隔制御する手段２３を備えている。このような装置は、従来の旗竿に設けられた従来の旗に対し、旗を下降させて別の旗をマストに配置する必要なしに、遠隔制御によって旗上の画像を更新または変更できるという利点を有している。これは、たとえば、大使館、ホテル、会議場のように、異なるパターンを有する旗を旗装置が日常的に備える必要がある場所で有利である。
【００９１】
このような旗竿５は、画像をディスプレイ３上に表示できるようにする、ディスプレイ３用の電気設備および制御装置２４を備えている。その結果、情報を、切り替えながら連続的に通行人に表示することが可能となる。
【００９２】
従来の表示装置と比べて、このような装置は、ディスプレイ３を地上から高い位置に取付けることができ、その結果、盗難にあいにくいという利点を有している。従来の表示装置と比べた他の利点は、風を受けて動くディスプレイが通行人を引き付ける付加的な視覚効果を与えることである。さらに、画像およびディスプレイ３上に示される画像の送信主は、旗の使用に通常伴うステータスおよび魅惑を得ることができる。
【００９３】
両面にディスプレイ３を備えた旗１はさらに、プリントされたグラフィックパターンを備え、または様々な色の旗布が縫合された現世代の旗よりも豊富な（写真）グラフィック画像を表示できるという利点を有している。さらに、本発明による旗１は、たとえばアニメーション、（デジタル）ビデオ録画、またはデジタル化された映画などの、動的な動画像を表示できるという利点を有している。
【００９４】
ここで使用されるエレクトロフォレティックディスプレイは、最小限の電力を使って、ある画像を保持、すなわち、ある画像を永久的に表示できるという利点を有している。その結果、エレクトロフォレティックディスプレイは、電力を極めて経済的に使用する。この装置のユーザがディスプレイ３上に別の画像を配置したい場合、ディスプレイ３の多数の画素に対する電界の印加が制御され、その結果、ディスプレイ３上に新しい画像が表示される。新しい画像が配置された後には、ディスプレイ３への電力供給を実質的に停止することができ、電力が浪費されることはない。
【００９５】
ディスプレイ３はエレクトロルミネセンス型であってもよい。エレクトロルミネセンスディスプレイはそれ自体が発光するので、この種類のディスプレイはディスプレイ３用の照明２７を必要としない。
【００９６】
ディスプレイ３は電子繊維で作ることもできる。その場合、ディスプレイ３は、エレクトロフォレティック材料、エレクトロルミネセンス材料、その他の色変化材料を含む、織られた撚り糸状の材料で製造される。このようなディスプレイ３は、さらに風受け面２も形成し、ディスプレイ３の材料が部分的に空気を通し、風を受けて優美に動くという利点を有している。
【００９７】
上述のディスプレイ３は、防風、撥水性で密封性があるコーティングを備えている。コーティングは、さらに耐塵性を備えていてもよい。これによって、風および水がディスプレイおよび／またはそこに表示される画像に悪影響を与えないという利点が得られる。このようなコーティングは、視認性または発光を低下させる可能性のあるごみ、ほこり、水分などの外的な影響からもディスプレイを保護することできる。ディスプレイ３の縁部にはオプションとして、たとえば、さらに風、水、および衝突からも旗を保護する、クッションやチューブなどのガスの充填された被覆層が備えられていてもよい。
【００９８】
制御装置２４は、マスト２０を通る接続ケーブルを介して、ネットワークに接続することもできる。その結果、後述するように、図１に示されている装置を装置のアセンブリに含めることができる。
【００９９】
図２に示される第２の実施形態では、旗竿５は、旗竿５の基礎１５に配置された発電機１２に、トランスミッション１１を介して接続されている。風方向が変化すると、旗１は新しい風方向に回転させられる。旗１は、回転を固定された状態で旗竿５に連結されているため、結果として旗竿５はある角度だけ回転する。旗竿５の回転はトランスミッション１１を介して発電機１２に伝達され、したがって、発電機１２が駆動され電力が発生する。
【０１００】
発電機１２によって発生された電力は電池またはコンデンサ１３に供給され、将来の使用のために貯蔵される。この例示的な実施形態では、電池１３は、フィーダケーブル１６を介して送電網に接続された電池充電器１４にも接続されている。
【０１０１】
発電機１２は、旗が指す方向を判定するセンサを備えていることが好ましい。この位置情報は、制御手段に送信することができ、かつ／または、装置が中央コンピュータを介して制御されるアセンブリの一部である場合には中央コンピュータに送信することができる。
【０１０２】
図３は、本発明による装置の第３の例示的な実施形態を示している。この例示的な実施形態も、両面にディスプレイ３３を備えた風受け面３２を有する旗またはバナー３１を示している。この実施形態は、ディスプレイ３３が通信媒体としてより広い範囲を有し、一度にいくつかの側から通行人に視認可能であるという利点を有している。
【０１０３】
旗３１および旗３１上に配置されたディスプレイ３３は、可とう性および／または屈曲性のある材料で作られている。このことは、ディスプレイ３３が風の影響によって動くことができ、風受け面３２、したがってディスプレイ３３の表面も形状を変化させるという利点を有している。このように風によって動きまたは風にたなびくことによって、通行人の注意を引き付ける視覚的に魅力的な眺めが得られる。旗３１は、バナーアーム３４が取付けられた回転チューブ３５に、回転を固定された状態で連結されている。回転チューブ３５は、公知の旗竿３６の周囲に配置することができる。電動式または非電動式の公知の掲揚装置によって、マスト３６に沿って上昇または下降させることができる。回転チューブ３５は、旗竿３６の周りを自由に回転することができる。回転チューブ３５は、トランスミッション４１によって旗竿３６に連結された発電機４２を備えている。回転チューブ３５が旗竿３６の周りを回転すると、発電機４２は、トランスミッション４１を介して駆動され電力を発生させる。この電力は電池４３に貯蔵される。電池４３は、以下のような装置の電子部品の電源として働く。
−画像情報および／または制御コマンドを無線グラフィック受信（たとえば、ＷＩＦＩなど）する、信号を受信するアンテナ４５を備えた受信器４４
−受信器４４からの受信信号を復元し、風受け面３２の両面のディスプレイ３３を制御する手段を備える制御手段４６
−両方のディスプレイ３３を制御するために画像情報を二重化し、オプションとしてミラー化するスプリッタ４７。
【０１０４】
この第３の例示的な実施形態では、これらの電子部品はバナーアーム３４内に配置され、旗３１のサスペンションを通って延びる信号ケーブル４８によって、旗３１の風受け面３２の両面に設けられた両方のディスプレイ３３に接続されている。回転チューブ３５はまた、ディスプレイ３３上に表示される画像に付属するオーディオ信号を再生し、または背景ノイズを再生する１つまたは２つ以上のスピーカを備えている。スピーカ５０を介して再生すべき音声は、オーディオ−ビジュアル信号を介して、画像情報と共に受信器４４によって受信することができる。
【０１０５】
図３に示されているような装置の利点は、このような装置を公知の旗竿３６に、旗竿３６への特別な適合化の必要なしに一体で配置できることである。さらに、このような装置は、自由に回転できるために、高い風圧または他の気候条件によって生じる損傷を受けにくいという利点を有している。
【０１０６】
旗３１は、風を受ける結果、風にたなびくように動くこともできる。旗３１のこのたなびく動きは、バナーアーム３４との回転を固定された連結部を介して伝達され、その結果、バナーアーム３４は（小さい回転角度で）往復運動する。バナーアーム３４をトランスミッション４１に連結することによって、発電機４２はこの動きによって駆動されることができる。たとえば、トランスミッション４１は、バナーアーム３４の往復運動を回転運動に変換して発電機４２を駆動するようにされている。このようにして、発電機４２は、風にたなびく旗３１から電力を発生させることができる。
【０１０７】
図４は、本発明による装置の第４の例示的な実施形態の断面図である。図４の例示的な実施形態は、図３に示されている例示的な実施形態と同等であり、すなわち、両面にディスプレイを備えた旗５１が、バナーアーム５４を備えた回転チューブ５５から、回転を固定された状態で吊り下げられている。旗５１はバナーアーム５４から吊り下げられ、その結果、ディスプレイは常に掲げられ、風の影響によって旗が動いても画像を最適な状態で視認することができる。回転チューブ５５は旗竿５６の周りに配置することができ、電動式または非電動式手段によって、旗竿５６に沿って上昇させ、下降させることができる。図４の例示的な実施形態では、図３の例示的な実施形態と同様に、電子部品はバナーアーム５４内に配置されている。しかし、図３の例示的な実施形態とは異なり、旗５１の回転から電力を発生させる手段は旗竿５６内に配置されている。その目的のため、旗竿５６は回転可能に設けられたマスト頂部５７を備えている。マスト頂部５７は、回転を固定された状態で旗竿５６内に配置された発電機６２に、トランスミッション６１を介して連結されている。したがって、マスト頂部５７が回転すると、発電機６２が駆動され電力が発生する。発生した電力は、やはり旗竿５６内に配置されている電池６３に供給される。マスト頂部５７は、回転チューブ５５に連結することができる。その目的のため、マスト頂部５７の底面は、たとえば、回転チューブ５５の上側遠位端から突き出た取付けピン５９を収めることのできるくぼみ５８を備えている。その結果、回転チューブ５５は、旗竿５６の頂部まで上昇させられると、マスト頂部５７に連結される。上述のように風の影響によって回転チューブ５５が回転することによって、その回転がマスト頂部５７に伝達されて発電機６２が駆動され、電力が発生する。摩擦損失を軽減させるために、マスト頂部５７は軸受６４（たとえば、スラスト軸受）を介して旗竿５６に連結されている。さらに、回転チューブ５５も旗竿５６の周りを容易に回転することができるように、回転チューブ５５にも軸受６５を備えることができる。電池６３に貯蔵されている発生した電力は、バナーアーム５４内の電子部品および旗５１のディスプレイに電力を供給するため、たとえば、ワイパー接触または誘電伝達手段によって、旗竿５６から回転チューブ５５に伝達することができる。
【０１０８】
図５は、図１，２，３，および４に示されている例示的な実施形態をさらに発展させた形態を示す。すなわち、両面にディスプレイを備え、可とう性および／または屈曲性を有する風受け面７２を用いると、このさらなる発展形態による風受け面７２を、特にバナーアーム７４内に回転可能に配置された中心軸７５の周りに巻上げることができる。バナーアーム７４は下を向いた面に開口部を備え、風受け面７２は、その開口部を通ってバナーアーム７４内に収容されることができる。風受け面７２の下側は、マストまたは回転チューブ７７に沿ってガイド７９内を垂直方向（矢印Ａの方向）に動かされることのできるサスペンション７８を介して、旗竿または回転チューブ７７に連結されている。この例示的な実施形態では、ガイド７９は、サスペンション７８をガイド７９に沿って移動させる上昇モータ８０に連結されている。風受け面７２が広げられている場合、上昇モータ８０によって、回転チューブ７７の旗竿に沿った、風受け面７２にとって必要な張力を確保することができ、その結果、ディスプレイは常に吊り下げられ、画像は視認可能な状態に維持される。このさらなる発展形態では、バナーアーム７４はさらに、ヒンジ８１によって旗竿または回転チューブ７７にヒンジ止めされている。その結果、バナーアーム７４は、好ましくは風受け面７２がバナーアーム７４内に完全に収容されているときに、（矢印Ｂの方向に）折り畳むことができ、その結果、バナーアームを旗竿または回転チューブ７７と平行にかつそれに沿った状態におくことができる。さらなる発展形態では、バナーアーム７４もまた、旗竿または回転チューブ７７内に収容することができる。この例示的な実施形態の一つの利点は、たとえば、悪天候（たとえば、強風や雹）のときに旗を保護するため、ディスプレイを備えた旗を格納するための選択肢が提供されることである。
【０１０９】
図６は、本発明によるサインボードの例示的な実施形態を示している。サインボード９１は、両面にディスプレイ９３を備えた非可とう性または剛性の高い風受け面９２を有している。サインボード９１は、バナーアーム９４の軸の周りを（矢印Ｃの方向に）回転可能となるように、バナーアーム９４から回転可能に吊り下げられている。バナーアーム９４は、サインボード９１の往復旋回運動を電力に変換する発電機９５に連結されている。この電力は電池９６に供給される。発電機９５および電池９６はバナーアーム９４用の基礎９７内に配置されている。基礎は、図６に示されているようにたとえばマストの前面、またはマスト（たとえば旗竿）９８の内部に配置することができる。サインボード９１の両面のディスプレイ９３を制御する電子部品も基礎９７内に配置され、電子機器９９用の電源として働く電池９６に接続されている。電子機器９９は、図１，２，または３に示されているようにバナーアーム９４内に完全に収容してもよく、一部だけを収容してもよい。
【０１１０】
さらなる発展形態では、サインボード９１は可とう性および／または屈曲性を有する材料で作ることができる。この場合、サインボードは、風受け面９２を伸ばす手段を備えていることが好ましい。風受け面をこのように伸ばすことは、サスペンションウエート１００、またはたとえば、天幕のバックリングアームスクリーンで知られている布を伸ばす装置によっておこなうことができる。可とう性の風受け面９２を使用することは、図５に示されている装置と同様に、バナーアーム９４内にこの風受け面を巻上げることができ、その結果、望ましくない天候の影響からサインボードを保護できるという利点を有している。
【０１１１】
図７は、本発明による装置の他の例示的な実施形態を示している。この装置は、回転軸１０４の周りに取付けられた風に対する風受け面１０２を備えたロータ１０１を有している。この例示的な実施形態のロータ１０１は、回転軸１０４と実質的に垂直な方向に、実質的にＳ字形の断面を有している。風受け面１０２は、好ましくは風受け面１０２の空気力学的形状に実質的に従うように配置されたディスプレイ１０３を前部および後部に備えている。ロータ１０１は風の影響によってその軸１０４の周りで回り始め、その結果、ロータ１０１の両面のディスプレイ１０３に表示されている画像が回転させられ、装置周囲の３６０度の角度にわたって画像を見ることができる。ここでは、風速が大きい場合でも通行人によってディスプレイ１０３を見ることができるように、装置がディスプレイ１０３の過度に高速の回転を減速させるブレーキを備えていると有利な場合があろう。
【０１１２】
軸１０４は、発電機１１２を駆動してロータ１０１の回転から電力を発生させるトランスミッション１１１に連結されている。オプションとして減速装置を備えていてもよい。発生した電力は、充電装置１１４によって送電網に接続された再充電可能な電池１１３に貯蔵することができる。その結果、電池１１３は、発電機１１２によって作られた電力で充電できるだけでなく、接続ケーブル１１５を介して送電網からの電力によっても充電することができる。トランスミッション１１１、発電機１１２、および電池１１３は基礎１１６内に配置されており、基礎１１６内にはさらに、ディスプレイ１０３上に表示できる画像データを記憶する記憶手段１１７が配置されている。このような記憶装置１１７の例として、ビデオプレーヤ、ＣＤプレーヤ、ＤＶＤプレーヤ、および／または（メモリチップまたはハードディスクの形態の）コンピュータメモリがある。（たとえば、コンピュータまたはＰＣの形態の）制御装置１１８は、メモリ手段１１７に記憶された画像情報を表示するようにディスプレイ１０３を制御する。さらに、基礎１１６は、ディスプレイ１０３上に表示される画像に付属するオーディオ信号を再生する１つまたは２つ以上のスピーカ１１９を備えている。
【０１１３】
記憶装置１１７の代わりに、無線手段またはそれ以外の方法によって、（たとえば、コンピュータの形態の）制御装置１１８をインターネットに接続することができ、制御装置１１８はそこから、オーディオ−ビジュアルデータおよびＩＰプロトコルに関する制御データを受信することができる。制御装置１１８とインターネット（または、たとえばＷＩＦＩ送信器、ＵＭＴＳ、ＷＩＭＡＸのような他の公知の送信器）とを無線接続する場合、アンテナおよび受信器は回転軸１０４内に配置し、またはロータ１０１に収容することができる。
【０１１４】
さらなる発展形態では、トランスミッション１１１は位置センサまたは速度計１２０に接続されている。位置センサまたは速度計の信号は制御装置１１８に供給することができる。このように、ディスプレイ１０３によって表示される画像を、回転軸１０４の周りのディスプレイ１０３の回転と同期させることができる。したがって、ディスプレイ１０３上の画像情報を制御する適切なソフトウェアと組み合わせることによって、ディスプレイが三次元画像を表示しているような錯覚を起こさせる動画像を、回転ディスプレイ上に視覚化することができる。たとえば、直立した人物は、装置の正面ではこの人物の正面として表示され、一方、同じ人物は、ディスプレイの側面または背面では、同じ瞬間に、直立した人物の対応する側面および背面として表示することができる。
【０１１５】
図８は、本発明による装置の例示的な実施形態の動作を示す概略図である。本発明による装置に表示されるべき画像および／または情報は、たとえば画像データベース１３０に記憶されている。このような画像データベースの例には、ビデオプレーヤ、ＣＤプレーヤ、ＤＶＤプレーヤ、コンピュータメモリ、インターネット上のファイルなどがある。オーディオ−ビジュアルサーバ１３１は、画像データベース１３０から所望の画像情報をダウンロードし、必要に応じて画像処理装置１３２によって画像を処理することができる。オプションとして、ダウンロードをＩＰプロトコルによってインターネットを介しておこなってもよい。その後、オーディオ−ビジュアルサーバ１３１は、画像情報を、装置のディスプレイ上に表示できるように変換することができる。この変換は、ディスプレイコントローラ１３３を使用しておこなわれる。次に、この情報はデータを装置１３５に送信するために送信器１３４に転送される。情報は暗号化または圧縮をされていてもいなくてもよい。いわゆるＷＩＦＩ送信器、ＷＩＭＡＸ、またはＤＭＢｖを使用することが好ましい。オーディオ−ビジュアルサーバ１３１からのデータの送信は、衛星接続、ケーブル接続、あるいはインターネットを介しておこなうこともできる。
【０１１６】
送信器１３４から送信されたデータは、受信器１３６により本発明による装置１３５で受信される。受信されたデータはその後、処理装置１３７で復号および／または復元される。その後、この信号は、様々なディスプレイ１３９ａ、１３９ｂ用の信号およびスピーカ１４０用のオーディオ信号に分割するスプリッタ１３８に供給され、画像データベースにあるオーディオ−ビジュアルデータが観察者１４１に表示される。
【０１１７】
スプリッタ１３８は、必要に応じて、装置１３５の一方の側のディスプレイ１３９ａ上に表示される画像が、装置１３５の他方の側のディスプレイ１３９ｂ上に表示される画像に対して鏡像化されるように、表示すべき画像を調整する手段をさらに備えていてもよい。その結果、たとえば、米国国旗などの旗を装置の両側に正しく、すなわち、星の部分が旗竿の近くにくるように表示することができる。
【０１１８】
図９は、装置の周囲を照明する、本発明による装置の他の例示的な実施形態を示している。この例示的な実施形態は、軸１２４の周りに配置された１つまたは２つ以上の風受け面１２２を備えたロータ１２１を示している。ロータ１２１は、頂部側が屋根構造１２６によって閉鎖されているハウジング１２５内に回転可能に配置されている。風受け面１２２は、本発明による装置のごく近い周囲を照明するエレクトロルミネセンス面１２３を備えている。ロータ１２１は、ロータ１２１の回転軸１２４によって、回転を固定された状態で発電機１３２に結合されている。発電機１３２は、トランスミッション１３１を介してマスト１２７に連結されている。ロータ１２１は風の影響によって回転し、発電機１３２を駆動し、電力を発生させる。電力は、たとえば、軸１２４または風受け面１２２内に配置された再充電可能な電池に貯蔵することができる。このエネルギーは、エレクトロルミネセンス面１２３用の電源として働く。
【０１１９】
たとえば、夕方や夜間に照明が必要である場合、エレクトロルミネセンス面がオンに切換えられ発光する。一実施態様では、たとえば軸１２４に係合するブレーキ装置を使用してロータ１２１が停止され、エレクトロルミネセンス面１２３の回転による周囲への照明の、場合によっては迷惑となる変動を防止する。
【０１２０】
屋根構造１２６の内側は、上向きに放出された光を下向きに、すなわち、マット１２７の基礎の方へ反射させる鏡面１２８を備えていることが好ましい。さらに、エレクトロルミネセンス面１２３は、エレクトロルミネセンス面１２３によって放出された光を装置周囲の所望の位置に送るように、光学手段（たとえば、プリズムまたはレンズアレイ）を備えることができる。このような装置は、たとえば、公園または庭園における外部照明として使用することができる。明らかなことであるが、ハウジング１２５は、エレクトロルミネセンス面によって放出された光を透過させて装置周囲の所望の位置に送るために、完全に透明または半透明であり、また、風を取り込んでロータ１２１を駆動するための開口部が全体にまたは一部に設けられている。ハウジング１２５の、ロータ１２１の周囲の下側部分に、図９のハウジングの右側に示されているような開口部を設けることが好ましい。
【０１２１】
さらなる発展形態では、屋根構造１２６は、日光から電力を発生させ、昼間に再充電可能な電池を充電し、エレクトロルミネセンス面１２３に電力を供給する太陽電池を上面１２９に備えている。
【０１２２】
図１０は、図４に示されているのと同様な実施形態を示している。すなわち、図１０に示す装置は、風受け面１５２を含む旗１５１であって、風受け面１５２の両面に変化しかつ／または動く画像を表示するディスプレイ１５３が備えられた旗１５１を有している。旗１５１は、上側がバナーアーム１５４に取付けられ、旗竿に面する側方が回転チューブ１５６に取付けられている。バナーアーム１５４も回転チューブ１５６に連結されており、したがって、回転チューブ１５６、バナーアーム１５４、および旗１５１の全体を、マスト頂部に配置されたプーリ１５７上を延びる掲揚ケーブル１５８によって、旗竿１５５に沿って一体で上昇させ、下降させることができる。
【０１２３】
回転チューブ１５６はさらに、オーディオ−ビジュアル信号を受信し処理し、ディスプレイ１５３と、たとえばこの例では旗竿１５５の底部に配置されているスピーカ１５９とを制御するため、受信器１６３、制御／復元手段１６４、およびスプリッタ１６５を備えている。
【０１２４】
図４の例示的な実施形態とは異なり、図１０の装置は、公知の旗竿１５５内に、すなわち発電機を設けずに配置されている。この装置は、たとえば送電網に接続されたフィーダケーブル１６０を介して外部から電力が供給される。
【０１２５】
図１１に示されている他の例示的な実施形態では、２つの装置２０１，２０２が隣接して配置されており、各装置２０１，２０２は、情報キャリア２０３，２０４と、情報キャリア２０３，２０４用のホルダ２０５，２０６と、を有している。ホルダ２０５，２０６は、情報キャリア２０３，２０４が吊り下げられているバナーアーム２０７，２０８を備えたマストである。情報キャリア２０３，２０４は、画像を再生するディスプレイ２０９，２１０を備え、この実施形態では、情報キャリア２０３，２０４は、変化する画像、好ましくは変化可能な（写真）グラフィック画像または動的なカラー映画またはビデオ画像を表示する可とう性のマトリックスディスプレイ２０９，２１０を備えている。原則的に、上述した例示的な各実施形態は、装置２０１，２０２に使用することができる。
【０１２６】
装置２０１，２０２はそれぞれ、個々の装置２０１，２０２を制御する中央コンピュータ２１１に接続されている。オプションとして他のリモートコンピュータ（図示せず）とデータを交換するために、中央コンピュータ２１１は、データネットワークに回線２１２を介して接続されている。
【０１２７】
装置２０１，２０２は、すべて１つのアセンブリに含まれており、中央コンピュータ２１１によって制御されるため、画像全体をその各部分に動的に分割し、各部分を様々な装置２０１，２０２上に表示することができる。観察者には、独立に動くいくつか（この場合は２つ）のディスプレイ２０９，２１０は、図１１に概略的に示されているように、１つの大きなディスプレイを形成する印象を与える。
【０１２８】
最後に、上述の本発明の例示的な実施形態は、本発明を例示するものであり、本発明を限定するものではないことに留意されたい。専門家であれば、添付の特許請求の範囲の保護範囲内となる他の実施形態を確実に構成することができよう。
【０１２９】
たとえば、上述の例示的な実施形態の一つにおける各部の特定の配置を、上述の他の例示的な実施形態の代替実施形態として使用することもできる。
【０１３０】
たとえば装置は、画像制御および／または光強度を調節し、画像面をある状態から別の状態に切り替えるために、回転、移動速度、加速度、あるいはディスプレイの旋回点を用いて、所定の瞬間に生じている風強度および回転速度を測定する風センサを備えていてもよい。
【０１３１】
たとえば、ディスプレイおよび風受け面を一体として形成してもよい。
【図面の簡単な説明】
【０１３２】
【図１】本発明による装置の第１の例示的な実施形態の概略図である。
【図２】本発明による装置の第２の例示的な実施形態の概略図である。
【図３】本発明による装置の第３の例示的な実施形態の概略図である。
【図４】本発明による装置の第４の例示的な実施形態の一部の概略断面図である。
【図５】本発明による装置の第５例示的な実施形態の概略図である。
【図６】本発明による装置の第６の例示的な実施形態の概略図である。
【図７】本発明による装置の第７の例示的な実施形態の概略図である。
【図８】本発明による装置の動作を示す概略図である。
【図９】本発明による装置の第８の例示的な実施形態の概略図である。
【図１０】旗竿（バナーポール）から吊り下げられた本発明による旗の概略図である。
【図１１】本発明によるアセンブリの概略図である。
【図１】
2007519031.tif 000003
【図２】
2007519031.tif 000004
【図３】
2007519031.tif 000005
【図４】
2007519031.tif 000006
【図５】
2007519031.tif 000007
【図６】
2007519031.tif 000008
【図７】
2007519031.tif 000009
【図８】
2007519031.tif 000010
【図９】
2007519031.tif 000011
【図１０】
2007519031.tif 000012
【図１１】
2007519031.tif 000013
【手続補正書】
【提出日】平成18年7月27日(2006.7.27)
【手続補正１】
【補正対象書類名】特許請求の範囲
【補正対象項目名】全文
【補正方法】変更
【補正の内容】
【特許請求の範囲】
【請求項１】
１つまたは２以上の装置を有し、各装置は情報キャリアと該情報キャリアのホルダとを有し、該情報キャリアは該ホルダの少なくとも一部に可動の状態で連結されているアセンブリであって、
前記情報キャリアは風受け面を有し、風の影響の下に少なくとも該風受け面を動かし、
前記風受け面は、該風受け面内に位置するアドレス指定可能な一連の表面部分を有するディスプレイを有し、該表面部分は第１の状態と第２の状態とに切り替えられることができ、該第１の状態における該外表面部分は該第２の状態における表面部分と視覚的に異なっており、
前記装置は個々の前記表面部分のアドレスを指定する制御手段を有し、
前記ディスプレイは、画像を表示後該ディスプレイへの電源供給が実質的に停止したときに、ある程度の画像を保持するのに適している、アセンブリ。
【請求項２】
前記ディスプレイは、エレクトロフォレティックディスプレイ、エレクトロウェッティングディスプレイ、ＬＣＤ、またはナノＬＣＤである、請求項１に記載のアセンブリ。
【請求項３】
前記アドレス指定可能な表面部分は、変化しかつ／または動く画像を表示するマトリックスディスプレイを形成するように、行列状に配置されている、請求項１または２に記載のアセンブリ。
【請求項４】
前記アドレス指定可能な表面部分は、エレクトロルミネセンス要素、好ましくはＬＥＤ、好ましくはポリマーＬＥＤなどの有機ＬＥＤを有している、請求項１から３のいずれか１項に記載のアセンブリ。
【請求項５】
前記装置は前記ディスプレイに表示するデータを受信する受信機を有し、
前記受信機は該データを該受信機から前記制御手段へ送信するために該制御手段に接続され、好ましくは無線受信機または好ましくは高周波受信機を有し、好ましくは前記ホルダ内に設置されている、
請求項１から４のいずれか１項に記載のアセンブリ。
【請求項６】
好ましくはネットワークによって、好ましくはインターネットによって、好ましくは無線によって、または好ましくはＩＰプロトコルによって、個々の前記装置または前記装置の全体とデータを交換する、たとえばコンピュータなどのデータ処理装置を有する、請求項１から５のいずれか１項に記載のアセンブリ。
【請求項７】
前記１つまたは２つ以上の装置のうちの少なくとも１つは、該装置の周囲、該装置の少なくとも前記風受け面の動きおよび／または方向を認識するセンサを有し、
前記センサは、該センサからの信号を前記制御手段に送信するために、該装置の前記制御手段に接続され、該制御手段は該センサからの信号に応じてディスプレイを制御するようにされている、
請求項１から６のいずれか１項に記載のアセンブリ。
【請求項８】
前記センサは、位置センサ、速度センサ、加速度センサ、前記装置の近傍にいる人を検出する人検出センサ、または前記情報キャリアの前記ホルダに対する動きを検出するモーションセンサを有する、請求項７に記載のアセンブリ。
【請求項９】
前記制御手段は、前記センサの信号またはそれから得られた信号の大きさを前記データ処理装置に転送するようにされ、好ましくは、変化しかつ／または動く画像をマルチスクリーン表示し、かつ／または全画像の各部を複数の前記ディスプレイに動的に分割する目的で複数の前記装置を制御するようにされている、請求項７または８に記載のアセンブリ。
【請求項１０】
前記装置は、風によって前記風受け面にかかる力から電力を発生させる手段、好ましくは、前記風の影響の下で少なくとも前記風受け面の動きから電力を発生させる手段を有し、
前記電力を発生させる手段は、たとえば電池などのエネルギー貯蔵手段、前記ディスプレイ、および／または前記制御手段に、電力を供給するために接続されている、
請求項１から９のいずれか１項に記載のアセンブリ。
【請求項１１】
前記装置の前記風受け面は前記ホルダに回転可能に連結され、
前記電力を発生させる手段は回転する発電機またはダイナモを有し、
前記風受け面は好ましくはウィンドタービン、風車、またはロータを形成している、
請求項１０に記載のアセンブリ。
【請求項１２】
請求項１から１１のいずれか１項に記載のアセンブリに使用される装置。
【請求項１３】
前記ディスプレイは屈曲性を有し、好ましくは可とう性を有し、好ましくはエレクトロフォレティック材料を含む撚り糸状の材料から織られた電子繊維で作られている、請求項１２に記載の装置。
【請求項１４】
前記情報キャリアは、該ディスプレイ用の透明のハウジングを有し、
前記ハウジングは、好ましくは、前記ディスプレイを空気、水、および／または水蒸気から保護する密封保護層を有し、
前記密封保護層は、無機材料または有機材料からなる透明な、コーティングまたはカバープレートを有する、
請求項１２または１３に記載の装置。
【請求項１５】
前記情報キャリアは、旗またはバナーであり、
前記旗またはバナーは、好ましくは２つの面に前記ディスプレイを備え、
前記ホルダは旗竿および／またはバナーアームを有している、
請求項１２から１４のいずれか１項に記載の装置。
【請求項１６】
前記情報キャリアは、可とう性および／または弾性を有する材料で作られ、少なくとも部分的に前記ディスプレイを囲んでおり、該ディスプレイを前記制御装置に接続するため、好ましくは、導電性で好ましくは弾性のポリマーを有している、請求項１５に記載の装置。
【請求項１７】
前記ディスプレイは前記ホルダ内、好ましくは前記バナーアーム内に格納することができる、請求項１３に従属する請求項１５または１６に記載の装置。
【請求項１８】
前記ディスプレイの縁部は、衝突に対して保護するため、クッションまたはチューブなどのガスの充填された被覆層を備えている、請求項１５または１６に記載の装置。
【請求項１９】
前記風受け面は、風にたなびく該風受け面から電力を発生させるように、前記風受け面内に位置する圧電箔を少なくとも一部に備えている、請求項１０に従属する請求項１５から１８のいずれか１項に記載の装置。
【請求項２０】
前記ホルダおよび／または前記情報キャリアは、風によって前記風受け面に働く引張り力を吸収し、該引張り力を電力に変換する圧電素子を備えている、請求項１５から１９のいずれか１項に記載の装置。
【請求項２１】
前記情報キャリアは、実質的に垂直な回転軸の周りを回転可能に配置されたロータ、好ましくはサボニアス型ロータを有し、
前記ロータは、該ロータの前記回転軸と実質的に垂直な方向において実質的にＳ字形の断面を有し、
前記ディスプレイは好ましくは、前記風受け面の空気力学的形状に実質的に従っている、
請求項１２から１４のいずれか１項に記載の装置。
【請求項２２】
請求項１２から２１のいずれか１項に記載の装置に使用されるのに適しており、かつ使用されることを目的とした情報キャリアおよび／またはホルダ。
【国際調査報告】
2007519031.tif 000014
2007519031.tif 000015
2007519031.tif 000016